(57)【特許請求の範囲】
【請求項１】
浴槽湯水追い焚き用の追い焚き熱交換器と少なくとも給湯用の熱交換器とが一体的に設けられ、それら一体化した熱交換器を共通に燃焼加熱するバーナが設けられており、また、浴槽湯水を循環ポンプの駆動により上記追い焚き熱交換器を通して循環させる浴槽湯水循環通路が形成され、この浴槽湯水循環通路には浴槽湯水を追い焚き熱交換器を通して洗濯機へ導く注水通路が分岐形成されており、該注水通路を通して洗濯機に浴槽湯水を注水する洗濯注水手段が設けられている一缶複水路燃焼機器において、洗濯注水動作中に、バーナ燃焼が行われているときには、バーナの燃焼熱量のうちの追い焚き側の熱量の情報と、追い焚き熱交換器を流れる湯水の流量情報と、追い焚き熱交換器に流れ込む湯水の湯温情報と、予め与えられた洗濯機注水水温の推定検出用データとに基づいて、洗濯機に注水される水温を推定検出する洗濯機注水水温推定検出部と；推定検出された洗濯機への注水水温が設定の注水停止温度よりも高いときには洗濯機への注水を停止する注水強制停止部と；が設けられていることを特徴とする洗濯注水機能付き一缶複水路燃焼機器。
【請求項２】
浴槽湯水追い焚き用の追い焚き熱交換器と少なくとも給湯用の熱交換器とが一体的に設けられ、それら一体化した熱交換器を共通に燃焼加熱するバーナが設けられており、また、浴槽湯水を循環ポンプの駆動により上記追い焚き熱交換器を通して循環させる浴槽湯水循環通路が形成され、この浴槽湯水循環通路には浴槽湯水を追い焚き熱交換器を通して洗濯機へ導く注水通路が分岐形成されており、該注水通路を通して洗濯機に浴槽湯水を注水する洗濯注水手段が設けられている一缶複水路燃焼機器において、洗濯注水動作中に、給湯運転の割り込みが行われているときには、バーナの燃焼熱量のうちの追い焚き側の熱量の情報と、追い焚き熱交換器を流れる湯水の流量情報と、追い焚き熱交換器に流れ込む湯水の湯温情報と、予め与えられた洗濯機注水水温の推定検出用データとに基づいて、洗濯機に注水される水温を推定検出する洗濯機注水水温推定検出部と；推定検出された洗濯機への注水水温が設定の注水停止温度よりも高いときには洗濯機への注水を停止する注水強制停止部と；が設けられていることを特徴とする洗濯注水機能付き一缶複水路燃焼機器。
【請求項３】
注水強制停止部により洗濯機への注水が強制的に停止された後にも引き続き洗濯機注水水温推定検出部による水温推定検出動作を継続させ、推定検出された洗濯機への注水水温が設定の注水再開温度以下に低下したときには、洗濯機への注水を再開させる注水再開制御部が設けられていることを特徴とする請求項１又は請求項２記載の洗濯注水機能付き一缶複水路燃焼機器。
【請求項４】
注水強制停止部により洗濯機への注水が強制的に停止された後に、バーナの燃焼状態が予め定めた注水再開条件を満たした状態となったときには、洗濯機への注水を再開させる注水再開制御部が設けられていることを特徴とする請求項１又は請求項２記載の洗濯注水機能付き一缶複水路燃焼機器。
【請求項５】
注水再開制御部は、洗濯機への注水停止状態を維持させたまま循環ポンプを駆動させ、浴槽湯水を浴槽湯水循環通路を通して一時的に循環させた後に、洗濯機への注水を再開させる構成としたことを特徴とする請求項３又は請求項４記載の洗濯注水機能付き一缶複水路燃焼機器。
【請求項６】
水を追い焚き熱交換器を通して浴槽に流し込む給水手段が設けられており、注水再開制御部は、洗濯機への注水を再開させるときには上記給水手段によって追い焚き熱交換器に水を流し込み、追い焚き熱交換器内に滞留していた湯水を浴槽側へ排出した後に、洗濯機への注水を再開させる構成としたことを特徴とする請求項３又は請求項４記載の洗濯注水機能付き一缶複水路燃焼機器。
【請求項７】
追い焚き熱交換器から流れ出る湯水の温度を検出する出側湯水温度検出手段が設けられており、洗濯機注水水温推定検出部により推定検出された洗濯機への注水水温に代えて、上記出側湯水温度検出手段により実測された水温を使用することを特徴とする請求項５又は請求項６記載の洗濯注水機能付き一缶複水路燃焼機器。
【発明の詳細な説明】
【０００１】
【発明の属する技術分野】
本発明は、浴槽の残り湯を洗濯機へ注水して有効利用を図ることが可能な洗濯注水機能付き一缶複水路燃焼機器に関するものである。
【０００２】
【従来の技術】
図５には出願人が開発している洗濯注水機能付き一缶複水路燃焼機器である一缶二水路風呂給湯器（器具）のシステム構成例が示されている。同図において、器具ケース１内には給湯用の給湯熱交換器２と浴槽湯水追い焚き用の追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８と、燃料ガスの供給量（バーナの燃焼熱量）を開弁量によって制御する比例弁１０とが介設されている。なお、前記比例弁１０の開弁量制御は、具体的には、比例弁１０に印加される電流（開弁駆動電流）の可変制御によって行われている。
【０００４】
前記給湯熱交換器２の入側には給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３とが設けられている。なお、給水管１１の入口側は水道管に接続されている。
【０００５】
前記給湯熱交換器２の出側には給湯管１４が接続されており、この給湯管１４は外部配管を介して台所等の所望の給湯場所に導かれている。前記給湯熱交換器２の出側の流路には給湯温度を検出する給湯温度センサ１５が設けられている。
【０００６】
前記追い焚き熱交換器３の入側は管路１６を介して循環ポンプ１７の吐出側に連通接続されている。そして、循環ポンプ１７の吸込側と浴槽（風呂）１８は戻り管２０を介して連通接続されており、この戻り管２０には追い焚き熱交換器３に入り込む浴槽湯水の温度を風呂温度として検出する風呂温度検出手段である風呂温度センサ２１と、流水を検出する流水センサ（流水スイッチ）１９とが設けられている。前記追い焚き熱交換器３の出側は往管２２を介して浴槽１８に連通接続されており、浴槽１８から戻り管２０を介して循環ポンプ１７、管路１６、追い焚き熱交換器３および往管２２を介して浴槽１８に戻る通路は浴槽湯水が循環する浴槽湯水循環通路２３を構成している。
【０００７】
前記給湯管１４と浴槽湯水循環通路２３（図５においては管路１６）は湯張り通路２４によって連通接続されており、この湯張り通路２４には通路の開閉を行う電磁弁等により構成される注湯弁２５が介設されている。
【０００８】
また、上記追い焚き熱交換器３の出側から浴槽１８に至るまでの通路には洗濯機３１に浴槽湯水を導く注水通路３２が分岐形成され、その分岐部には例えば三方弁等により形成される洗濯注水制御弁３３が設けられている。この洗濯注水制御弁３３は追い焚き熱交換器３から流れ出た湯水を浴槽１８に戻す追い焚き循環側と、追い焚き熱交換器３から流れ出た湯水を注水通路３２を通して洗濯機３１へ導く洗濯注水側とに湯水の流れを切り換えることができるものであり、洗濯注水ユニットケース３４内に収容されている。該洗濯注水ユニットケース３４は洗濯機３１の配設場所の近傍に設けられている。
【０００９】
この洗濯注水ユニットケース３４には、洗濯機３１への浴槽湯水の注水開始を指令するための洗濯注水開始指令手段３５と、洗濯機３１への所望の注水量を設定するための洗濯注水量設定手段３６とが設けられている。上記洗濯注水制御弁３３と洗濯注水ユニットケース３４と洗濯注水開始指令手段３５と洗濯注水量設定手段３６とにより、注水通路３２を通して浴槽湯水を洗濯機３１に注水する洗濯注水手段が構成されている。
【００１０】
この器具には器具運転を制御するための制御装置２７が設けられ、この制御装置２７にはリモコン２８が信号接続されている。このリモコン２８には給湯温度を設定する給湯温度設定手段や、風呂温度を設定する風呂温度設定手段や、自動運転、給湯運転、湯張り運転、追い焚き運転等を指令する各種運転ボタンや、必要な情報を表示する表示部等が設けられている。
【００１１】
前記制御装置２７は各種センサ検出信号とリモコン２８の情報を取り込み、内部に与えられているシーケンスプログラムに従い、例えば、給湯運転と、湯張り運転と、追い焚き運転と、洗濯注水運転とを次のように制御する。
【００１２】
例えば、台所等に導かれた給湯通路の水栓３０が開けられ、給湯運転を開始することが可能な予め定めた給湯作動流量（例えば、２．５リットル／min）以上の流量が流量検出センサ１３により検出されると、燃焼ファン６を回転させ、電磁弁７，８を開弁させてバーナ５に燃料ガスを供給し、点火器（図示せず）の点火によりバーナ５の燃焼を開始させ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１３】
また、リモコン２８により自動運転のモードや、湯張り運転モードが指令されると、注湯弁２５を開け、上記同様にバーナ５の燃焼により給湯熱交換器２で作り出された湯を、給湯管１４と湯張り通路２４と浴槽湯水循環通路２３を順に通して浴槽１８に供給し、浴槽水位がリモコン２８に設定されている浴槽設定水位に達したと判断したときに注湯弁２５を閉じて湯張り運転を終了する。
【００１４】
追い焚き運転モードの動作においては、注湯弁２５が閉じられている状態で、循環ポンプ１７を回転駆動させ、浴槽１８内の湯水の循環を浴槽湯水循環通路２３を通して行い、風呂温度センサ２１により検出される風呂検出温度が風呂設定温度よりも低いときには、流水センサ１９から流水オン信号を受けてバーナ５の燃焼を行わせ、浴槽湯水循環通路２３を通して循環する浴槽湯水を追い焚き熱交換器３で加熱する。そして、風呂温度センサ２１によって浴槽湯水の温度が風呂設定温度に達したことが検出されたときに、循環ポンプ１７の停止とバーナ５の燃焼停止を行って追い焚き運転モードの動作を終了する。
【００１５】
また、洗濯注水運転は次のようにして行われる。例えば、洗濯注水開始指令手段３５によって洗濯機３１への注水開始が指令されたことを検知すると、湯張り運転と追い焚き運転が行われていない状態で、洗濯注水制御弁３３を追い焚き循環側から洗濯注水側へ切り換え、循環ポンプ１７を駆動し、浴槽湯水を戻り管２０と追い焚き熱交換器３と往管２２と注水通路３２とを順に通して洗濯機３１に注水する。このとき、浴槽湯水を加熱するためのバーナの風呂側燃焼は行われず、追い焚き熱交換器３により加熱されていない湯水を洗濯機３１へ注水する。そして、洗濯注水量設定手段３６に設定されている注水量が洗濯機３１に注ぎ終わったことを検知したときに循環ポンプ１７を停止すると共に洗濯注水制御弁３３を洗濯注水側から追い焚き循環側へ切り換えて洗濯注水運転を終了する。
【００１６】
上記のように洗濯注水機能を備えることによって、浴槽の残り湯を洗濯機３１に自動的に注水することができることとなり、浴槽の残り湯の有効利用を促進させることができ、節水効果を得ることができる。
【００１７】
【発明が解決しようとする課題】
しかしながら、上記のような洗濯注水機能付きの一缶二水路燃焼機器では、洗濯注水運転に関して次に示すような問題発生の虞があることが分かった。すなわち、洗濯注水運転と給湯運転とが共に行われる場合があり、この場合にはバーナ５は給湯燃焼することから、一缶二水路タイプの燃焼機器では、その給湯燃焼によって、給湯熱交換器２の通水だけでなく、追い焚き熱交換器３の通水をも加熱され、このことにより、追い焚き熱交換器３から洗濯機３１へ注水される浴槽湯水の水温が次に示すような様々な問題発生の虞がある５０℃よりも高い温度になってしまう場合が生じる。
【００１８】
その問題とは、洗濯機３１に注水された高温の浴槽湯水によって火傷を負わせてしまう危険が生じたり、洗濯機３１の構成部品を浴槽湯水の熱によって変形・損傷させてしまったり、また、洗剤の種類によっては浴槽湯水の熱によって溶解度が低下して洗浄能力を低下させてしまったり、さらに、洗濯物の汚れ成分であるタンパク質が凝固してそのタンパク質の汚れがとれにくくなったり、さらにまた、上記高温熱によって衣類の縮み等が生じ衣類等を傷めてしまう等の問題である。
【００１９】
本発明は上記課題を解決するために成されたものであり、その目的は、洗濯注水には適さない水温の浴槽湯水が洗濯機に注水されるのを防止することができる洗濯注水機能付き一缶複水路燃焼機器を提供することにある。
【００２０】
【課題を解決するための手段】
上記目的を達成するために、この発明は、次に示すような構成をもって前記課題を解決する手段としている。すなわち、第１の発明は、浴槽湯水追い焚き用の追い焚き熱交換器と少なくとも給湯用の熱交換器とが一体的に設けられ、それら一体化した熱交換器を共通に燃焼加熱するバーナが設けられており、また、浴槽湯水を循環ポンプの駆動により上記追い焚き熱交換器を通して循環させる浴槽湯水循環通路が形成され、この浴槽湯水循環通路には浴槽湯水を追い焚き熱交換器を通して洗濯機へ導く注水通路が分岐形成されており、該注水通路を通して洗濯機に浴槽湯水を注水する洗濯注水手段が設けられている一缶複水路燃焼機器において、洗濯注水動作中に、バーナ燃焼が行われているときには、バーナの燃焼熱量のうちの追い焚き側の熱量の情報と、追い焚き熱交換器を流れる湯水の流量情報と、追い焚き熱交換器に流れ込む湯水の湯温情報と、予め与えられた洗濯機注水水温の推定検出用データとに基づいて、洗濯機に注水される水温を推定検出する洗濯機注水水温推定検出部と；推定検出された洗濯機への注水水温が設定の注水停止温度よりも高いときには洗濯機への注水を停止する注水強制停止部と；が設けられている構成をもって前記課題を解決する手段としている。
【００２１】
第２の発明は、浴槽湯水追い焚き用の追い焚き熱交換器と少なくとも給湯用の熱交換器とが一体的に設けられ、それら一体化した熱交換器を共通に燃焼加熱するバーナが設けられており、また、浴槽湯水を循環ポンプの駆動により上記追い焚き熱交換器を通して循環させる浴槽湯水循環通路が形成され、この浴槽湯水循環通路には浴槽湯水を追い焚き熱交換器を通して洗濯機へ導く注水通路が分岐形成されており、該注水通路を通して洗濯機に浴槽湯水を注水する洗濯注水手段が設けられている一缶複水路燃焼機器において、洗濯注水動作中に、給湯運転の割り込みが行われているときには、バーナの燃焼熱量のうちの追い焚き側の熱量の情報と、追い焚き熱交換器を流れる湯水の流量情報と、追い焚き熱交換器に流れ込む湯水の湯温情報と、予め与えられた洗濯機注水水温の推定検出用データとに基づいて、洗濯機に注水される水温を推定検出する洗濯機注水水温推定検出部と；推定検出された洗濯機への注水水温が設定の注水停止温度よりも高いときには洗濯機への注水を停止する注水強制停止部と；が設けられている構成をもって前記課題を解決する手段としている。
【００２２】
第３の発明は、上記第１又は第２の発明の構成に加えて、注水強制停止部により洗濯機への注水が強制的に停止された後にも引き続き洗濯機注水水温推定検出部による水温推定検出動作を継続させ、推定検出された洗濯機への注水水温が設定の注水再開温度以下に低下したときには、洗濯機への注水を再開させる注水再開制御部が設けられている構成をもって前記課題を解決する手段としている。
【００２３】
第４の発明は、上記第１又は第２の発明の構成に加えて、注水強制停止部により洗濯機への注水が強制的に停止された後に、バーナの燃焼状態が予め定めた注水再開条件を満たした状態となったときには、洗濯機への注水を再開させる注水再開制御部が設けられている構成をもって前記課題を解決する手段としている。
【００２４】
第５の発明は、上記第３又は第４の発明を構成する注水再開制御部は、洗濯機への注水停止状態を維持させたまま循環ポンプを駆動させ、浴槽湯水を浴槽湯水循環通路を通して一時的に循環させた後に、洗濯機への注水を再開させる構成とした構成をもって前記課題を解決する手段としている。
【００２５】
第６の発明は、上記第３又は第４の発明の構成を備え、水を追い焚き熱交換器を通して浴槽に流し込む給水手段が設けられており、注水再開制御部は、洗濯機への注水を再開させるときには上記給水手段によって追い焚き熱交換器に水を流し込み、追い焚き熱交換器内に滞留していた湯水を浴槽側へ排出した後に、洗濯機への注水を再開させる構成とした構成をもって前記課題を解決する手段としている。
【００２６】
第７の発明は、上記第５又は第６の発明の構成を備え、追い焚き熱交換器から流れ出る湯水の温度を検出する出側湯水温度検出手段が設けられており、洗濯機注水水温推定検出部により推定検出された洗濯機への注水水温に代えて、上記出側湯水温度検出手段により実測された水温を使用する構成をもって前記課題を解決する手段としている。
【００２７】
上記構成の発明において、例えば、洗濯注水動作中に、バーナ燃焼が行われているときには、洗濯機注水水温推定検出部は浴槽から追い焚き熱交換器を介して洗濯機へ流れ込む浴槽湯水の水温を推定検出する。注水強制停止部はその推定検出された洗濯機への注水水温が設定の注水停止温度よりも高いときには洗濯機への注水を強制的に停止する。
【００２８】
このように、洗濯機への注水水温が設定の注水停止温度よりも高い場合に、洗濯機への注水を停止させることによって、前述したような様々な問題を引き起こす虞がある高温の浴槽湯水が洗濯機へ流れ込むのを防止することができ、前記課題が解決される。
【００２９】
【発明の実施の形態】
以下に、本発明に係る実施形態例を図面に基づき説明する。
【００３０】
第１の実施形態例に示す洗濯注水機能付き一缶複水路燃焼機器は前記図５に示す一缶二水路風呂給湯器と同様なシステム構成を備えており、図１には第１の実施形態例において特徴的な制御構成が実線により示されている。なお、この実施形態例の説明において、前記図５に示すシステム構成の説明は前述したので、その重複説明は省略する。
【００３１】
この実施形態例において特徴的な制御構成は、図１に示すように、燃焼制御部４０と追い焚き側熱量検出部４１と洗濯機注水水温推定検出部４２と給湯割り込み有無監視部４３とデータ格納部４４とタイマ４５と注水再開制御部４６と洗濯注水制御部４７と注水強制停止部４８とを有して構成されている。
【００３２】
燃焼制御部４０は給湯運転と湯張り運転と追い焚き運転等に伴うバーナ燃焼運転を制御するものであり、例えば、給湯運転時や湯張り運転時には、リモコン２８に設定されている給湯設定温度（湯張りの設定温度）の湯を供給するのに必要な熱量を求め、給湯熱交換器２の通水がその求めた熱量を得ることができるように、比例弁１０に加える開弁駆動電流を図３の実線Ｌ１や破線Ｌ２に示すような燃焼制御データに基づいて制御してバーナ５の燃焼制御を行う。
【００３３】
上記実線Ｌ１は給湯単独運転時における給湯側要求熱量と開弁駆動電流との関係データから成る燃焼制御データであり、破線Ｌ２は給湯と追い焚きとの同時運転時における給湯側要求熱量と開弁駆動電流との関係データから成る燃焼制御データである。給湯と追い焚きとの同時運転時には、給湯優先のバーナ燃焼制御が行われるが、給湯熱交換器２と追い焚き熱交換器３の両方共に通水があり、バーナ燃焼熱量は給湯熱交換器２の通水および追い焚き熱交換器３の通水に吸熱されることから、同時運転時には、給湯単独運転時よりも高い燃焼熱量でもってバーナ５の燃焼を行わせなければ給湯側の要求熱量を給湯熱交換器２の通水に与えることができない。このことから、破線Ｌ２に示すような同時運転時の燃焼制御データは追い焚き側への吸熱熱量を考慮して実線Ｌ１に示すような給湯単独運転時の燃焼制御データとは異なるデータが与えられる。
【００３４】
例えば、燃焼制御部４０は、給湯側に要求される熱量が図３に示す熱量Ｐexである場合に、給湯単独運転時には、実線Ｌ１に示す燃焼制御データに基づいて比例弁１０には開弁駆動電流Ｉａを加える。これに対して、同時運転時には、追い焚き熱交換器３の通水に熱量が吸熱されるために、破線Ｌ２に示す燃焼制御データに基づいて比例弁１０には上記電流Ｉａよりも多い開弁駆動電流Ｉｂを加えることになり、給湯側の要求熱量が同じでも、同時運転時のバーナ燃焼熱量は給湯単独運転時のバーナ燃焼熱量よりも多くなるように燃焼制御が行われる。
【００３５】
洗濯注水制御部４７は洗濯注水開始指令手段３５が操作されて洗濯機３１への浴槽湯水の注水開始を指令されたことを検知したときには、湯張り運転および追い焚き運転が行われていない状態で、洗濯注水制御弁３３を追い焚き循環側から洗濯注水側へ切り換え、循環ポンプ１７を起動させて、浴槽１８の湯水を戻り管２０と追い焚き熱交換器３と往管２２と注水通路３２とを順に通して洗濯機３１に注水し、その後、洗濯機３１への注水量が洗濯注水量設定手段３６に設定されている注水量に達したときに循環ポンプ１７を停止させ、また、洗濯注水制御弁３３を洗濯注水側から追い焚き循環側に切り換えて洗濯機３１への注水動作を終了する。
【００３６】
なお、洗濯機３１への注水量が設定注水量に達したことを検知する手法としては様々な手法が考えられる。その一例を以下に示す。例えば、注水量と該注湯量を洗濯機３１に注水するのに要する時間との関係を循環ポンプ１７の能力を考慮して予め実験や演算等により求め、その求めた実験（演算）の結果に基づいて、設定の注水量とその注水量を洗濯機３１に注水するのに要する時間との関係データを予め定めデータ格納部４４に格納しておき、洗濯注水制御部４７は洗濯注水開始の指令が加えられたことを検知したときには、洗濯注水量設定手段３６に設定されている洗濯機３１への注水量の情報と、上記データ格納部４４に格納されている関係データとに基づき、上記設定注水量を洗濯機３１に注水するのに要する時間を求め、該求めた時間をタイマ４５にセットする。
【００３７】
そして、洗濯注水制御部４７は洗濯機３１への注水が開始されるのとほぼ同時にタイマ４５の駆動を開始させ、このタイマ４５がタイムアップしたときに、洗濯機３１への浴槽湯水注水量が設定の注水量に達したと判断し、洗濯注水制御部４７は上記の如く洗濯注水動作を終了する。
【００３８】
給湯割り込み有無監視部４３は上記洗濯注水制御部４７の動作情報を時々刻々と取り込み、該情報に基づき洗濯注水動作が行われていることを検知している間に、燃焼制御部４０の動作情報や流量検出センサ１３のセンサ出力情報に基づき給湯運転の割り込みがあるか否かを監視する。
【００３９】
追い焚き側熱量検出部４１は上記給湯割り込み有無監視部４３の監視情報および洗濯注水制御部４７の動作情報を時々刻々と取り込み、それら取り込んだ情報に基づいて洗濯注水動作中に給湯割り込みが行われていることを検知している間には、バーナ燃焼熱量のうち、追い焚き熱交換器３の通水が吸熱する熱量を追い焚き側熱量として時々刻々と求める。
【００４０】
その追い焚き側熱量の検出手法の具体例を示す。例えば、バーナ５の燃焼熱量Ｐallから給湯熱交換器２の通水が吸熱した熱量を差し引いた熱量が追い焚き側熱量であり、比例弁１０に加えられている開弁駆動電流に基づいてバーナ５の燃焼熱量Ｐallを検出することができ、また、給水温度検出センサ１２の検出給水温度をＴinとし、流量検出センサ１３の検出流量をＱとし、給湯温度センサ１５の検出温度をＴoutとした場合に、給湯熱交換器２の通水吸熱量Ｐｑは下式（１）により求めることができることから、追い焚き側熱量Ｐｈは下式（２）の演算式によって求めることができる。
【００４１】
Ｐｑ＝（Ｔout−Ｔin）×Ｑ・・・・・（１）
【００４２】
Ｐｈ＝Ｐall−Ｐｑ＝Ｐall−（Ｔout−Ｔin）×Ｑ・・・・・（２）
【００４３】
上記のことから、上式（２）を追い焚き側熱量Ｐｈの検出用データとしてデータ格納部４４に格納しておき、開弁駆動電流に基づいたバーナ燃焼熱量を上記パラメータＰallに、給水温度検出センサ１２により検出された給水温度を上記パラメータＴinに、流量検出センサ１３の検出流量を上記パラメータＱに、給湯温度センサ１５の検出温度を上記パラメータＴoutにそれぞれ代入し、上式（２）に従って演算することによって、追い焚き側熱量Ｐｈを算出することができる。
【００４４】
追い焚き側熱量検出部４１は、上記の如く算出した追い焚き側熱量の情報を洗濯機注水水温推定検出部４２に出力する。
【００４５】
洗濯機注水水温推定検出部４２は上記追い焚き側熱量検出部４１から追い焚き側熱量の情報を受け取ると、この情報と、追い焚き熱交換器３に流れ込む浴槽湯水の温度の情報と、追い焚き熱交換器３の通水流量の情報と、データ格納部４４に予め格納しておいた洗濯機注水水温の推定検出用データとに基づいて追い焚き熱交換器３から流れ出る湯水の温度（洗濯機注水水温）Ｔｄを時々刻々と推定検出する。
【００４６】
この実施形態例では、上記洗濯機注水水温の推定検出用データは下式（３）に示す演算式データにより構成されている。
【００４７】
Ｔｄ＝Ｔｈ＋（Ｐｈ／Ｑｈ）・・・・・（３）
【００４８】
ただし、上式（３）に示すＴｈは追い焚き熱交換器３に流れ込む浴槽湯水温度を表し、Ｐｈは前記追い焚き側熱量を表し、Ｑｈは追い焚き熱交換器３の通水流量を表している。
【００４９】
この実施形態例では、流水センサ１９により流水を検知することができる最低の流量（例えば４リットル／min）が上記追い焚き熱交換器３の通水流量Ｑｈとして予め上式（３）に与えられており、上式（３）のパラメータＴｈに風呂温度センサ２１の検出水温を、上記パラメータＰｈに前記追い焚き側熱量検出部４１により求められた追い焚き側熱量をそれぞれ代入し、上式（３）に従って演算することによって、追い焚き熱交換器３から流れ出て洗濯機３１に注水される洗濯機注水水温Ｔｄを推定検出する。
【００５０】
洗濯機注水水温推定検出部４２は上記の如く洗濯機注水水温Ｔｄを求めると、その求めた洗濯機注水水温Ｔｄの情報を注水強制停止部４８に出力する。注水強制停止部４８はその加えられた洗濯機注水水温Ｔｄをデータ格納部４４に予め格納しておいた注湯停止温度Ｔstop（例えば、５０℃）に比較し、推定検出された洗濯機注水水温Ｔｄが注湯停止温度Ｔstopよりも高いか否かを判断する。
【００５１】
そして、洗濯機注水水温推定検出部４２は洗濯機注水水温Ｔｄが上記注湯停止温度Ｔstopよりも高いと判断したときには、洗濯機へ注水する浴槽湯水温度が洗濯注水に適した水温の範囲を越えて高いと判断し、不適切な高めの湯温の浴槽湯水が洗濯機３１へ注水されることに起因した前述したような様々な問題発生の虞があることから、そのような問題発生を防止するために洗濯機３１への注水を強制的に停止させる必要があると判断し、循環ポンプ１７を停止し、また、洗濯注水制御弁３３を洗濯注水側から追い焚き循環側に切り換えて、洗濯機３１への浴槽湯水注水を強制的に停止させる。また、このとき、注水強制停止部４８は、タイマ４５の駆動を中断する。
【００５２】
ところで、この実施形態例では、前記の如く、洗濯機注水水温推定検出部４２は、バーナの給湯燃焼中に、流水センサ１９により流水を検知することができる最低の流量を用いて洗濯機注水水温Ｔｄを推定検出する。この場合には、流量以外の状態が同じという条件の下で想定される洗濯機注水水温の範囲の中で最も高い温度が洗濯機注水水温Ｔｄとして推定検出されることとなり、この推定検出された水温に基づいて上記注水強制停止部４８による注水強制停止制御動作が行われることから、洗濯機３１へ不適切な湯温の湯水が注水されるのをより確実に防止することができ、安全性を高めることができる。
【００５３】
注水再開制御部４６は上記注水強制停止部４８の動作情報を取り込み、該情報に基づき洗濯注水動作中に上記注水強制停止部４８によって注水が強制的に停止されたことを検知した以降に、燃焼制御部４０の情報あるいは給湯割り込み有無監視部４３の監視情報に基づいて、バーナ５の燃焼状態が予め定めた次に示す注水再開条件を満たした状態になったことを検知したときには、洗濯注水に適した温度の浴槽湯水を洗濯機３１へ注水することが可能な状態に回復したと判断し、洗濯注水動作を再開させる。
【００５４】
上記注水再開条件として、この実施形態例では、次に示す２つの条件が与えられており、それらのどちらか一方の条件が満たされたときに、洗濯機３１への注水を再開するように構成されている。
【００５５】
まず、第１の条件は、バーナ５の給湯燃焼が停止することであり、第２の条件は、給湯側の要求熱量が設定の注水再開熱量まで低下したことである。上記設定の注水再開熱量は予め定め与えておいてもよいし、浴槽湯水の温度に応じて可変設定するようにしてもよい。
【００５６】
ところで、洗濯注水動作を中断している間に追い焚き熱交換器３内に滞留している湯水はバーナの給湯燃焼によって加熱され、この加熱に起因して非常に高温になることがある。このように、高温に加熱された追い焚き熱交換器３内の湯水が洗濯注水再開によって直接的に洗濯機３１へ流れ出ると、その高温の湯によって火傷を負わせる危険がある等の問題発生が考えられる。そこで、この実施形態例では、注水再開制御部４６は、図２に示すように、上記の如く注水再開条件を満たしたか否かを判断する再開許可判定部５０に加えて、注水再開時高温湯吐出防止部５１と再開部５２とを有して構成されており、前記洗濯注水再開時における洗濯機３１への高温湯吐出問題を防止する構成を備えている。
【００５７】
上記再開許可判定部５０は、上記の如く、洗濯注水中断中にバーナの燃焼状態が注水再開条件を満たした状態になったか否かを監視し、バーナ燃焼状態が注水再開条件を満たした状態になったと判断したときには、洗濯注水再開許可信号を注水再開時高温湯吐出防止部５１に出力する。
【００５８】
注水再開時高温湯吐出防止部５１は上記洗濯注水再開許可信号を受け取ると、洗濯注水制御弁３３が追い焚き循環側に切り換えられている状態のまま、循環ポンプ１７を起動させる。この循環ポンプ１７の起動によって浴槽湯水循環通路２３内の湯水は流動し、追い焚き熱交換器３内に滞留していた湯水を浴槽１８に排出することができる。
【００５９】
注水再開時高温湯吐出防止部５１はタイマ５３を内蔵しており、上記の如く循環ポンプ１７を起動させてから追い焚き熱交換器３内に滞留していた湯水を浴槽１８に排出し終えるまでに要する時間に余裕時間を加えた時間が上記内蔵のタイマ５３に設定されており、上記の如く循環ポンプ１７を起動させると同時に上記内蔵のタイマ５３を駆動させ、該タイマ５３がタイムアップしたときに、追い焚き熱交換器３内に滞留していた高温の湯水は浴槽１８に排出され、洗濯注水動作を再開させても、火傷の危険等の問題発生の虞がある高温の湯が洗濯機３１に吐出することはないと判断し、循環ポンプ１７を停止させ、洗濯注水再開指令を再開部５２に出力する。
【００６０】
再開部５２は上記洗濯注水再開指令を受け取ると、洗濯注水制御弁３３を追い焚き循環側から洗濯注水側へと切り換え、循環ポンプ１７を起動させて、洗濯注水動作を再開させる。
【００６１】
なお、洗濯注水中における給湯割り込み運転時には、バーナ燃焼熱量の一部が追い焚き熱交換器３の通水に吸熱されることから、燃焼制御部４０は同時運転時と同様な燃焼制御を行うことになる。
【００６２】
第１の実施形態例において特徴的な制御構成は上記のように構成されており、以下に、洗濯注水の制御動作の一例を図４のフローチャートに基づき簡単に説明する。
【００６３】
まず、洗濯注水開始指令手段３５が操作されて、洗濯注水開始指令が発せられたことを検知すると（ステップ１０１）、湯張り運転と追い焚き運転が行われていない状態で、洗濯注水制御部４７により、洗濯注水制御弁３３を追い焚き循環側から洗濯注水側に切り換え、循環ポンプ１７を起動して洗濯機３１への浴槽湯水の注水を開始し、また、タイマ４５をセット・駆動する（ステップ１０２）。
【００６４】
上記循環ポンプ１７の起動後、ポンプ駆動による流水を流水センサ１９により検出することができたか否かを判断し（ステップ１０３）、流水センサ１９により注水を検知することができないと判断したときには、循環ポンプ１７を起動させてからの経過時間が浴槽湯水有無判断用の設定時間に達したか否かを判断し（ステップ１１２）、上記経過時間が設定時間を越えたのにも拘わらず流水センサ１９により流水を検知できないと判断したときには、浴槽１８に湯水が無く、このために洗濯注水を行うことはできないと判断し、循環ポンプ１７を停止する（ステップ１１３）。
【００６５】
また、循環ポンプ１７の起動後、上記浴槽湯水有無判断用の設定時間を経過する前に、流水センサ１９により流水を検知したときには、浴槽湯水の洗濯注水は順調に開始されたと判断し、この洗濯注水中に、給湯割り込み有無監視部４３の動作情報に基づき給湯割り込みが開始されたか否かを判断する（ステップ１０４）。給湯割り込みが無いと判断したときには、タイマ４５がタイムアップしたか否かを判断し（ステップ１１０）、タイムアップしていないと判断したときには、洗濯機３１への注水量は設定注水量に達していないことから、前記ステップ１０３以降の動作を繰り返し行って洗濯注水動作を継続する。
【００６６】
洗濯注水中に、給湯の割り込みがあったと判断したときには、追い焚き側熱量検出部４１により追い焚き側熱量Ｐｈを算出し、該算出した追い焚き側熱量Ｐｈと、風呂温度センサ２１の検出温度Ｔｈと、洗濯機注水水温の推定検出用データとに基づいて、洗濯機注水水温推定検出部４２により、追い焚き熱交換器３から流れ出て洗濯機３１に注水される洗濯機注水水温Ｔｄを推定検出する（ステップ１０５）。
【００６７】
そして、上記推定検出された上記洗濯機注水水温Ｔｄが注水停止温度Ｔstopよりも高いか否かを判断し（ステップ１０６）、洗濯機注水水温Ｔｄが注水停止温度Ｔstop以下であると判断したときには、洗濯機３１へ注水されている水温は、洗濯注水に適した水温であると判断し、タイマ４５がタイムアップしていなければ、洗濯注水動作を継続させる。
【００６８】
上記推定検出された洗濯機注水水温Ｔｄが注水停止温度Ｔstopよりも高いと判断したときには、その高めの湯温によって前述したような様々な問題発生の虞があると判断し、注水強制停止部４８により、循環ポンプ１７を停止し、洗濯注水制御弁３３を洗濯注水側から追い焚き循環側へ切り換え、洗濯注水動作を中断し、また、タイマ４５の駆動も中断する（ステップ１０７）。
【００６９】
その後、注水再開制御部４６の再開許可判定部５０により、バーナ燃焼状態が注水再開条件を満たした状態になったか否かを判断し（ステップ１０８）、注水再開条件を満たしていないと判断したときには洗濯注水の中断を維持しながら、バーナ燃焼状態の監視を引き続き行う。そして、注水再開条件を満たしたと判断したときに、注水再開時高温湯吐出防止部５１による高温吐出防止動作、つまり、洗濯注水制御弁３３が追い焚き循環側に切り換えられているまま、循環ポンプ１７を所定の時間だけ駆動させ、バーナの給湯燃焼によって加熱された追い焚き熱交換器３内の滞留湯水を浴槽１８に排出させる動作を行って、高温に加熱された追い焚き熱交換器３内の滞留湯水が洗濯注水再開時に洗濯機３１に吐出するのを防止する。
【００７０】
上記高温吐出動作の終了後、前記ステップ１０２以降の動作を繰り返し、洗濯機３１への浴槽湯水の注水を再開させ、また、タイマ４５を再駆動させる。その後、タイマ４５がタイムアップしたと判断したときに、洗濯機３１への注水量が設定の注水量に達したと判断し、洗濯注水制御部４７により、循環ポンプ１７を停止し、洗濯注水制御弁３３を洗濯注水側から追い焚き循環側へ切り換え（ステップ１１１）、洗濯注水動作を終了する（ステップ１１４）。
【００７１】
この実施形態例によれば、洗濯注水動作中に、給湯割り込みがあり、バーナが給湯燃焼を行っている場合に、追い焚き熱交換器３から洗濯機３１へ注水する洗濯機注水水温Ｔｄを推定検出し、該推定検出された洗濯機注水水温Ｔｄが設定の注水停止温度Ｔstopよりも高いときには洗濯機３１への浴槽湯水注水を強制的に停止するので、前記様々な問題を引き起こす湯温（例えば５０℃よりも高い湯温）の浴槽湯水が洗濯機３１に注水されることが無くなり、洗濯注水動作中における給湯割り込みに起因した問題発生を防止することができる。
【００７２】
また、上記の如く洗濯機３１へ注水される湯水の水温を推定検出するので、洗濯機３１へ注水される水温を実測するための温度センサ等を設ける必要がなく、部品点数の増加を防止することができる。
【００７３】
さらに、追い焚き側熱量を考慮して洗濯機注水水温Ｔｄを推定検出しているので、バーナ燃焼熱量の変動に伴って追い焚き側熱量が変動した場合にはその熱量変動後の洗濯機注水水温Ｔｄが瞬時に推定検出され、この推定検出された洗濯機注水水温Ｔｄに基づいて洗濯注水の制御動作が行われることから、熱量変動によって洗濯注水には適さない湯温の湯が洗濯機３１へ流れ込む前に、確実に、洗濯注水を停止させることができる。
【００７４】
これに対して、洗濯機３１へ注水される湯水の水温を例えば温度センサにより実測し該実測水温に基づいて上記同様な注水強制停止の制御動作を行った場合には、熱量変動によって洗濯注水に適さない湯温の湯水が追い焚き熱交換器３で作られてしまったときには、その不適切な湯温の浴槽湯水が追い焚き熱交換器３から実際に流れ出なければ、洗濯注水を停止させることはできず、このことから、洗濯注水の停止が遅れることが考えられる。もちろん、その停止動作の遅れは僅かなものであり、殆ど支障はないものと思われるが、本実施形態例に示すように洗濯機注水水温Ｔｄを推定検出する構成にすることによって、より一層確実に、洗濯注水に適さない湯温の浴槽湯水が洗濯機３１へ注水されるのを防止することができる。
【００７５】
さらに、この実施形態例では、注水再開制御部４６は注水再開時高温湯吐出防止部５１を備えているので、洗濯注水中断中に、バーナの給湯燃焼によって追い焚き熱交換器３内の滞留湯水が高温に加熱されても、その加熱された高温の湯を追い焚き熱交換器３から浴槽１８に排出した後に、洗濯機３１への注水を開始することとなり、このことから、高温に加熱された浴槽湯水が直接的に洗濯機３１へ注水されるのを防止することができ、洗濯注水再開時に、高温の浴槽湯水注水によって火傷を負わせてしまうというような問題を確実に回避することができる。もちろん、洗濯注水動作中には、通常、何人も入浴していない状態であることから、上記の如く、注水再開時に、高温湯を浴槽１８に排出しても、その高温湯が入浴中の人に当たって火傷を負わせるという問題は殆ど発生しない。
【００７６】
以下に、第２の実施形態例を説明する。この実施形態例において特徴的なことは、洗濯注水を再開するときには、循環ポンプ１７を駆動させて追い焚き熱交換器３内に滞留していた湯水を浴槽１８へ排出してから洗濯機３１への浴槽湯水の注水を再開するのに代えて、給湯側から水を浴槽湯水循環通路２３内に流し込み該水によって追い焚き熱交換器３内に滞留していた湯水を浴槽１８に排出してから洗濯機３１への浴槽湯水の注水を再開する構成を備えたことである。それ以外の構成は前記第１の実施形態例に示した構成とほぼ同様であり、その共通部分の重複説明は省略する。
【００７７】
この実施形態例では、洗濯注水中断中に、給湯割り込み運転が終了してバーナ５の燃焼が停止することが注水再開条件として定められており、注水再開制御部４６の再開許可判定部５０は、洗濯注水中断中に、給湯割り込み運転が終了してバーナ５の燃焼が停止したことを検知したときに、洗濯機３１への浴槽湯水の注水を再開してもよいバーナ状態になったと判断し、洗濯注水再開許可信号を注水再開時高温湯吐出防止部５１に出力する。
【００７８】
注水再開時高温湯吐出防止部５１は上記洗濯注水再開許可信号が加えられると、洗濯注水制御弁３３を追い焚き循環側に切り換えた状態のまま注湯弁２５を開弁し、また、注湯弁２５を開弁してもバーナ燃焼が行われないように燃焼阻止信号を燃焼制御部４０に出力し、バーナ燃焼を阻止し、加熱されていない水を給湯熱交換器２から給湯管１４と湯張り通路２４を順に介して浴槽湯水循環通路２３内に流し込み、この通水によって追い焚き熱交換器３内に滞留していた湯水を浴槽１８に排出させる。この実施形態例では、給水管１１と給湯熱交換器２と給湯管１４と湯張り通路２４と注湯弁２５とによって、水を追い焚き熱交換器３を通して浴槽１８に流し込む給水手段を構成している。
【００７９】
注水再開時高温湯吐出防止部５１はタイマ５３を内蔵しており、該タイマ５３には給湯側から浴槽湯水循環通路２３への水の供給量が所定の給水量（つまり、追い焚き熱交換器３内に滞留していた湯水を浴槽１８に排出するのに要する給水量）に達するまでに要する時間に余裕時間を加えた時間が設定されており、給湯側から浴槽湯水循環通路２３への水の供給が開始されたときに上記タイマ５３を駆動させ、その後、タイマ５３がタイムアップしたときに追い焚き熱交換器３内に滞留していた湯水が浴槽１８に排出されたと判断し、注湯弁２５を閉弁し、給湯側から浴槽湯水循環通路２３への給水動作を終了する。あるいは、給湯側から浴槽湯水循環通路２３への給水を開始してから流量検出センサ１３の検出流量を積算していき浴槽湯水循環通路２３側への給水量を算出し、該算出された給水量が上記所定の給水量に達したときに、上記同様に、追い焚き熱交換器３内に滞留していた湯水が浴槽１８に排出されたと判断し、注湯弁２５を閉弁し、給湯側から浴槽湯水循環通路２３への給水動作を終了するように構成してもよい。
【００８０】
そして、注水再開時高温湯吐出防止部５１は上記の如く給水動作を終了した以降に、洗濯注水再開指令を再開部５２に出力し、該再開部５２によって洗濯機３１への浴槽湯水の注水を再開させる。
【００８１】
この実施形態例によれば、前記第１の実施形態例と同様に、洗濯注水中に、給湯割り込み運転が行われているときには、洗濯機注水水温推定検出部４２によって追い焚き熱交換器３から洗濯機３１へ注水される洗濯機注水水温Ｔｄを推定検出し、該推定検出された洗濯機注水水温Ｔｄが設定の注水停止温度Ｔstopよりも高いときには洗濯注水動作を停止させる構成を備えているので、前記第１の実施形態例と同様に洗濯機３１へ注水するのに不適切な湯温の湯が洗濯機３１へ注がれてしまうのを確実に回避することができるという効果を奏することができる。
【００８２】
また、洗濯機３１への注水を再開するときには、水を浴槽湯水循環通路２３へ流し込んで追い焚き熱交換器３内に滞留していた湯水を浴槽１８に排出させてから、洗濯機３１への浴槽湯水の注水を再開させるので、洗濯注水中断中に、給湯燃焼によって追い焚き熱交換器３内に高温加熱された湯水が滞留していても、その高温の湯は浴槽１８に排出され、その後に、浴槽湯水の注水が再開されることから、洗濯注水の再開時に、高温の湯が洗濯機３１へ吐出して火傷を負わせてしまうというような問題発生を防止することができる。
【００８３】
以下に、第３の実施形態例を説明する。この実施形態例では、図５の点線に示すように、追い焚き熱交換器３から流れ出る湯水の温度を検出することができる出側湯水温度検出手段である出側温度センサ２６が設けられていることであり、洗濯機３１への注水される水温を推定検出し該推定検出された洗濯機注水水温に基づいて洗濯注水強制停止制御を行うのに代えて、上記出側温度センサ２６により実測された洗濯機注水水温Ｔｄに基づいて洗濯注水強制停止制御を行う構成としたことであり、それ以外の構成は前記各実施形態例と同様であり、その共通部分の重複説明は省略する。
【００８４】
この実施形態例では、注水強制停止部４８は、洗濯注水中に、給湯割り込み運転が行われている間には、出側温度センサ２６により実測された洗濯機注水水温を時々刻々と取り込み、該取り込んだ実測洗濯機注水水温Ｔｄを設定の注水停止温度Ｔstopに比較して、実測洗濯機注水水温Ｔｄが注水停止温度Ｔstopよりも高いと判断したときには、洗濯機３１への注水を停止させる構成を備えている。
【００８５】
上記のように、出側温度センサ２６の実測洗濯機注水水温を利用することから、この実施形態例では、洗濯機注水水温を推定検出するための追い焚き側熱量検出部４１と洗濯機注水水温推定検出部４２を省略することができ、制御構成の簡略化を図ることができる。
【００８６】
この実施形態例においても、洗濯注水の再開時における高温湯吐出問題を回避するために、前記各実施形態例に示したような注水再開制御部４６が設けられており、洗濯注水再開時に、洗濯機３１へ高温の湯が吐出し、火傷を負わせる等の問題発生を確実に回避することができる構成と成している。
【００８７】
なお、この発明は上記各実施形態例に限定されるものではなく、様々な実施の形態を採り得る。例えば、上記第１と第２の各実施形態例では、安全性の観点から、流水センサ１９により検知することができる最低の流量を利用して洗濯機注水水温Ｔｄを推定検出していたが、追い焚き熱交換器３の通水流量を検知することができる流量検出手段を設け、該流量検出手段により検出される追い焚き熱交換器３の通水流量を用いて、洗濯機注水水温Ｔｄを推定検出してもよい。
【００８８】
また、上記各実施形態例では、タイマ４５を利用して洗濯注水動作終了のタイミングを決定していたが、例えば、洗濯機３１へ流れ込む湯水の流量を検出することができる流量検出手段を設け、洗濯機３１への注水を開始させてから上記流量検出手段により検出される流量を積算していき洗濯機３１への注水量を算出し、該算出注水量が設定の注水量に達したときに、洗濯機３１への注水動作を終了するように構成してもよい。
【００８９】
さらに、上記各実施形態例では、洗濯注水開始指令手段３５と洗濯注水量設定手段３６とは別個に設けられていたが、例えば、上記洗濯注水開始指令手段３５と洗濯注水量設定手段３６とを兼用する次に示す手動式のタイマを設けてもよい。その手動式のタイマは、洗濯機３１への注水量に対応する目盛りが記された目盛り部を備えており、所望の注水量に対応する目盛り分だけ手動によってタイマを回動・設定することによって、洗濯機３１への注水量が設定され、かつ、洗濯注水開始指令が発せられる構成と成している。
【００９０】
さらに、上記各実施形態例では、洗濯機への注水を行うときには、バーナの風呂側燃焼は行わず、追い焚き熱交換器３で加熱されていない浴槽湯水を洗濯機３１へ注水していたが、例えば、洗濯注水時に、バーナを燃焼させ、洗濯に最適な湯温（例えば３０〜４０℃）の湯が洗濯機３１へ注水されるようにバーナ燃焼制御を行う構成としてもよい。さらに、例えば、綿製品では４０℃程度、毛や絹製品では３０〜３５℃程度、合成繊維製品では３０〜４０℃程度の温度の湯水で洗濯することが望ましいとされているというように、洗濯物の種類毎に洗濯に適した洗浄湯水温が異なることから、それら洗濯物の種類に応じて洗濯機３１へ注水する湯温を制御する構成を設けてもよい。
【００９１】
上記の如く、洗濯注水中に浴槽湯水の加熱を行う場合に、その洗濯注水中に給湯割り込みが生じたときには、給湯優先の観点から、給湯設定温度の湯を供給することができるようにバーナ燃焼制御が行われることとなり、このため、追い焚き熱交換器３から洗濯機３１へ注水される浴槽湯水が前述したように高温になることが考えられることから、このような場合にも、上記各実施形態例に示すような制御構成を設けることによって、洗濯機３１への高温湯注水を防止することができる。
【００９２】
さらに、上記各実施形態例では、洗濯注水を再開するときには、必ず、注水再開時高温湯吐出防止部５１による高温吐出防止動作を行ってから洗濯注水を再開させていたが、例えば、給湯割り込み運転に起因して洗濯注水を中断していた時間が短かった場合には、つまり、バーナ給湯燃焼により追い焚き熱交換器３の滞留湯水が加熱された時間が短かったときには、追い焚き熱交換器３内の滞留湯水の温度が注水再開時高温湯吐出の問題が生じる高温に上昇する前に、洗濯注水が再開される場合があるので、例えば、洗濯注水を中断してからの経過時間が設定の高温湯吐出危険時間に達する前に洗濯注水を再開させるときには、上記注水再開時高温湯吐出防止部５１による高温湯吐出防止動作を行わずに、洗濯機３１への浴槽湯水注水を開始させる構成としてもよい。さらに、上記洗濯注水再開時に高温湯が洗濯機３１へ吐出しても火傷を負わせてしまうというような問題が殆ど発生しないと想定される場合には、洗濯注水再開時に、上記高温湯吐出防止動作を行わない構成としてもよい。この場合には、注水再開時高温湯吐出防止部５１を省略することができる。
【００９３】
さらに、上記第１と第２の各実施形態例では、洗濯注水中断中に、バーナ５の燃焼状態が予め定めた注水再開条件を満たした状態となったと判断したときに、洗濯機３１への注水を再開させるように構成されていたが、例えば、洗濯注水を中断させた後にも引き続き洗濯機注水水温推定検出部４２による洗濯注水水温Ｔｄの推定検出動作を継続させ、この推定検出された洗濯注水水温Ｔｄが設定の注水再開温度以下に低下したことを検知したときに、洗濯注水を再開するように構成してもよい。洗濯注水中断中には追い焚き熱交換器３に通水は無いことから、追い焚き熱交換器３の通水流量を検出する流量検出手段を設け該手段の検出流量を利用して洗濯注水水温Ｔｄを推定検出する場合には、例えば、洗濯注水動作を中断する直前に検出された流量を利用して、洗濯注水中断中における洗濯注水水温Ｔｄの推定検出動作を行う。
【００９４】
さらに、洗濯注水中断中に、前記各実施形態例に示したように、バーナの燃焼状態が注水再開条件を満たした状態となったとき、あるいは、上記の如く、推定検出される洗濯機注水水温が設定の温度以下に低下したときには、洗濯注水を再開するように構成してもよい。
【００９５】
さらに、給湯運転が行われている状態から洗濯注水運転を開始する場合には、追い焚き熱交換器３内に滞留していた湯水が給湯燃焼によって高温に加熱されていることが考えられ、上記同様の高温湯吐出問題発生の虞があることから、給湯運転が行われている状態から洗濯注水運転を開始する場合にも、上記同様な高温湯吐出防止動作を行う構成を備えてもよい。
【００９６】
さらに、上記第２と第３の各実施形態例では、水を追い焚き熱交換器３を通して浴槽に流し込む給水手段は給湯側の管路により構成されていたが、例えば、浴槽湯水循環通路２３に直接的に水を流し込む上記給湯側の管路とは別個の給水手段を設けてもよい。
【００９７】
さらに、上記各実施形態例の構成に加えて、注水強制停止部４８の制御動作による洗濯注水中断中に、洗濯注水に適さない高温の浴槽湯水が洗濯機３１へ注水される虞があることから洗濯注水を中断していることを報知する手段を設けてもよい。
【００９８】
さらに、上記各実施形態例は一缶二水路燃焼機器を例にして説明したが、本発明は、例えば、一缶三水路燃焼機器等、一缶二水路以外の一缶複水路燃焼機器に適用することができる。例えば、浴槽湯水追い焚き用の追い焚き熱交換器と給湯用の給湯熱交換器と暖房用の暖房熱交換器とが一体化されている一缶三水路燃焼機器において、洗濯注水動作中に、給湯運転あるいは暖房運転によるバーナ燃焼が行われているときには、前記各実施形態例に示すように、追い焚き熱交換器から洗濯機へ注水される浴槽湯水温度に基づき浴槽注水制御動作を行うことによって、前記各実施形態例と同様な効果を奏することができる。
【００９９】
【発明の効果】
追い焚き熱交換器を通って洗濯機へ注水される浴槽湯水の水温を推定検出し、該推定検出された洗濯機注水水温が設定の注水停止温度よりも高いときには洗濯機への浴槽湯水注水を停止する構成を備えたものにあっては、洗濯機へ注水するのに適さない高温の浴槽湯水が洗濯機へ注水されるのを回避することができる。洗濯注水中に、例えば、給湯運転の割り込みが行われ、バーナが給湯燃焼している場合には、その給湯燃焼によって追い焚き熱交換器で浴槽湯水が高温に加熱されることがあり、その高温の浴槽湯水が洗濯機へ注水されると、該注水湯水の熱によって様々な問題発生の虞が生じるけれども、上記の如く洗濯機へ注水される湯水温度が上記問題発生の虞がある高温に上昇することが検知されたときに洗濯注水を強制的に停止することによって、洗濯機に高温の浴槽湯水が注水されるのを防止することができ、高温注水に起因した様々な問題発生を回避することができる。また、洗濯機へ注水される湯水温度を推定検出するので、洗濯機へ注水される湯水温度を実測するための温度検出手段を設ける必要がなく、部品点数の増加を抑制することができる。
【０１００】
さらに、追い焚き側の熱量の情報に基づいて洗濯機への注水水温を推定検出するので、例えば、追い焚き側の熱量が高くなる方向に変動した場合に、その熱量の変動による洗濯機への注水水温の変動を瞬時に検知することができ、この推定検出された洗濯機への注水水温に基づいて洗濯注水の強制停止制御動作が行われることから、熱量変動によって洗濯機への注水に適さない高温の浴槽湯水が追い焚き熱交換器から流れ出る前に、洗濯注水を強制的に停止することが可能であり、追い焚き熱交換器から洗濯機へ注水される水温を実測し該実測水温に基づいて上記同様の洗濯注水強制停止動作を制御する場合に比べて、より一層確実に洗濯機へ高温の浴槽湯水が注水されるのを防止することができる。
【０１０１】
推定検出された洗濯機注水水温又は実測された洗濯機注水水温に基づいて洗濯注水が強制的に停止された以降に、洗濯注水水温が設定の注水再開温度以下に低下したときに洗濯機への注水を再開させる構成、あるいは、バーナの燃焼状態が予め定めた注水再開条件を満たす状態となったときに洗濯機への注水を再開させる構成を備えたものにあっては、洗濯機への浴槽湯水注水を自動的に再開させることができ、使い勝手を向上させることができる。
【０１０２】
洗濯機への注水停止状態を維持させたまま循環ポンプを駆動させ、浴槽湯水を浴槽湯水循環通路を通して一時的に循環させた後に、洗濯機への注水を再開させる構成、あるいは、給水手段によって追い焚き熱交換器に水を流し込んで、追い焚き熱交換器内に滞留していた湯水を浴槽側へ排出した後に、洗濯機への注水を開始させる構成を備えたものにあっては、洗濯機への注水を中断している間にバーナ燃焼の熱によって追い焚き熱交換器内に滞留していた湯水が高温に加熱されている場合に、その高温の湯水を追い焚き熱交換器から浴槽に排出した後に、洗濯注水を再開させることができるので、洗濯注水再開時に、洗濯機に高温の湯が吐出して火傷を負わせてしまうというような問題を確実に回避することができる。
【図面の簡単な説明】
【図１】上記各実施形態例において特徴的な制御構成を示すブロック構成図である。
【図２】上記各実施形態例に示す注水再開制御部の構成例を示すブロック構成図である。
【図３】燃焼制御データの一例を示すグラフである。
【図４】図１に示す制御構成の動作例を示すフローチャートである。
【図５】一缶複水路燃焼機器の一例を示すモデル図である。
【符号の説明】
２  給湯熱交換器
３  追い焚き熱交換器
５  バーナ
１７  循環ポンプ
２３  浴槽湯水循環通路
２６  出側温度センサ
３１  洗濯機
３２  注水通路
３３  洗濯注水制御弁
４１  追い焚き側熱量検出部
４２  洗濯機注水水温推定検出部
４６  注水再開制御部
４７  洗濯注水制御部
４８  注水強制停止部
５１  注水再開時高温湯吐出防止部
【図１】
0003872900.tif 000002
【図２】
0003872900.tif 000003
【図３】
0003872900.tif 000004
【図４】
0003872900.tif 000005
【図５】
0003872900.tif 000006